(57)【要約】【課題】コーナー部分での止水性能を向上できるプレストレストコンクリート壁体を提供する。【解決手段】コーナー用ＰＣ壁体11は、長尺に形成した正４角形断面の壁体本体部12の長尺一側面13に、略半円形断面の第１グラウト孔形成溝14を長尺方向に形成する。壁体本体部12の長尺一側面13に対して角部15を介し９０度の角度で隣接する長尺他側面16に、略半円形断面の第２グラウト孔形成溝17を長尺方向に形成する。【選択図】図１
0003172821.tif 000002
【実用新案登録請求の範囲】
【請求項１】
長尺に形成された角形断面の壁体本体部と、
壁体本体部の長尺一側面に長尺方向に形成された第１グラウト孔形成溝と、
壁体本体部の長尺一側面に対して角部を介し隣接する長尺他側面に長尺方向に形成された第２グラウト孔形成溝と
を具備したことを特徴とするプレストレストコンクリート壁体。
【考案の詳細な説明】
【技術分野】
【０００１】
本考案は、調整池側壁、河川護岸、道路擁壁などに用いられるプレストレストコンクリート壁体に関する。
【背景技術】
【０００２】
調整池側壁、河川護岸、道路擁壁などを形成するために、図３に示されるように角型に遠心成形されたプレストレストコンクリート壁体（以下、「ＰＣ壁体」という）１を、図４に示されるように連続配置すると、各ＰＣ壁体１の長尺一側面と、この長尺一側面に対して反対側に平行に位置する長尺反対側面とにそれぞれ設けられた略半円形断面のグラウト孔形成溝２が向かい合って、略円形断面のグラウト孔３を形成する。そして、これらのグラウト孔３にモルタルなどのグラウトを充填することによって、各ＰＣ壁体１，１間から水が漏洩するのを防止するようにしている（例えば、特許文献１参照）。
【先行技術文献】
【特許文献】
【０００３】
【特許文献１】特開２０００−２６５４８４号公報（第２頁、図３）
【考案の概要】
【考案が解決しようとする課題】
【０００４】
図３および図４に示されるように、略半円形断面のグラウト孔形成溝２は、ＰＣ壁体１の相互に反対側に位置する２面に設けられているため、図４に示されるコーナー部分のようにＰＣ壁体１を直角方向に配置する場合、グラウト孔の形状は片側のみの略半円形断面のグラウト孔3aにとどまり、ＰＣ壁体１，１間の境界面を遮断するように略円形断面のグラウト孔３が位置する正規配置の場合より、止水性能が期待できない状況となる。
【０００５】
そのため、コーナー部分の漏水対策として背面側に地盤改良などの補助工法を併用する必要があり、その分、工期および工費が増大する問題がある。
【０００６】
本考案は、このような点に鑑みなされたもので、コーナー部分での止水性能を向上できるプレストレストコンクリート壁体を提供することを目的とする。
【課題を解決するための手段】
【０００７】
本考案は、長尺に形成された角形断面の壁体本体部と、壁体本体部の長尺一側面に長尺方向に形成された第１グラウト孔形成溝と、壁体本体部の長尺一側面に対して角部を介し隣接する長尺他側面に長尺方向に形成された第２グラウト孔形成溝とを具備したプレストレストコンクリート壁体である。
【考案の効果】
【０００８】
本考案によれば、プレストレストコンクリート壁体の壁体本体部の長尺一側面とこの長尺一側面に対して角部を介し隣接する長尺他側面の２側面に第１グラウト孔形成溝および第２グラウト孔形成溝をそれぞれ形成することで、この壁体により連壁コーナー部分でのグラウト孔形成溝の配置を、従来の相互に反対側に位置する２面から、壁体本体部の角部を介し隣接する２面に変更して、連壁コーナー部分でも壁体間の境界面を遮断するように十分な止水断面積を有するグラウト孔を境界面中に配置できるので、連壁コーナー部分でのグラウトによる止水性能を向上でき、地盤改良などの補助工法を併用することなく、コーナー部分からの漏水を少なくすることができる。
【図面の簡単な説明】
【０００９】
【図１】本考案に係るプレストレストコンクリート壁体の一実施の形態を示す斜視図である。
【図２】同上壁体による連壁施工時の配列状態を示す平面図である。
【図３】従来のプレストレストコンクリート壁体を示す斜視図である。
【図４】同上従来壁体による連壁施工時の配列状態を示す平面図である。
【考案を実施するための形態】
【００１０】
以下、本考案を、図１および図２に示された一実施の形態に基いて詳細に説明する。
【００１１】
図１はプレストレストコンクリート壁体としてのコーナー用ＰＣ壁体11を示し、このコーナー用ＰＣ壁体11は、長尺に形成された正４角形断面の壁体本体部12と、壁体本体部12の長尺一側面13に長尺方向に形成された略半円形断面の２条の第１グラウト孔形成溝14と、壁体本体部12の長尺一側面13に対して角部15を介し９０度の角度で隣接する長尺他側面16に長尺方向に形成された略半円形断面の２条の第２グラウト孔形成溝17とを具備したＰＣ壁体である。壁体本体部12の中央部には、円形断面の中空部18が形成されている。
【００１２】
図２は、従来のＰＣ壁体１と上記コーナー用ＰＣ壁体11とを用いて、Ｌ形に屈曲した形状の連壁19を形成するときの配列状態を示し、連壁19の縦横の直壁部分では、ＰＣ壁体１の長尺一側面と、この長尺一側面に対して反対側に平行に位置する長尺他側面とにそれぞれ設けられた略半円形断面のグラウト孔形成溝２を順次対向させて、略円形断面のグラウト孔３を形成し、また、連壁19が直角に屈曲するコーナー部分では、上記コーナー用ＰＣ壁体11を配置することにより、図２縦方向配列のコーナー対向ＰＣ壁体1aの略半円形断面のグラウト孔形成溝2aと、コーナー用ＰＣ壁体11の略半円形断面の第１グラウト孔形成溝14とを対向させることにより、略円形断面のグラウト孔3Aを形成する。
【００１３】
同様に、図２横方向配列のコーナー対向ＰＣ壁体1bの略半円形断面のグラウト孔形成溝2bと、コーナー用ＰＣ壁体11の略半円形断面の第２グラウト孔形成溝17とを対向させることにより、略円形断面のグラウト孔3Bを形成し、これらの略円形断面のグラウト孔３，3A，3Bにモルタルを充填することによって、ＰＣ壁体１，1a間およびＰＣ壁体１，1b間と同様に、ＰＣ壁体1a，11間およびＰＣ壁体11，1b間から水が漏洩することを防止する。
【００１４】
このように、ＰＣ壁体間のグラウト孔形成手段として、コーナー用ＰＣ壁体11の壁体本体部12の長尺一側面13とこの長尺一側面13に対して角部15を介し隣接する長尺他側面16の２側面に、第１グラウト孔形成溝14および第２グラウト孔形成溝17をそれぞれ形成することで、すなわち、コーナー用ＰＣ壁体11により連壁19のコーナー部分でのグラウト孔形成溝14，17の配置を、従来の相互に反対側に位置する２面から、壁体本体部12の角部15を介し９０度で隣接する２面に変更することで、連壁19のコーナー部分でも壁体1a，11間の境界面および壁体1b，11間の境界面を遮断するように十分な止水断面積を有する略円形断面のグラウト孔3A，3Bを境界面中に配置できるので、連壁コーナー部分でのグラウトによる止水性能を向上でき、地盤改良などの補助工法を併用することなく、コーナー部分からの漏水を少なくすることができる。
【００１５】
なお、本考案は、壁体本体部12の少なくとも隣接する２側面13，16に第１グラウト孔形成溝14および第２グラウト孔形成溝17をそれぞれ形成すればよいので、例えば、壁体本体部12の長尺一側面、この長尺一側面に隣接する長尺他側面および長尺一側面とは反対側に位置する長尺反対側面の３側面にグラウト孔形成溝をそれぞれ形成するようにしたＰＣ壁体も含まれる。この３側面にグラウト孔形成溝を形成したＰＣ壁体は、例えば調整池側壁の連壁などから中仕切壁をＴ字形に分岐する際に役立つ。
【００１６】
また、角形断面の壁体本体部12の外形は、正４角形断面に限定されず、長方形断面でも良い。また、道路擁壁などに用いられるＰＣ壁体は、道路の折曲状況に応じたコーナー角度が必要であるため、３角形断面、５角形断面などに形成しても良いので、このような角形断面も含まれる。
【産業上の利用可能性】
【００１７】
本考案は、ＰＣ壁体を製造、販売する業者、さらにはＰＣ壁体を用いて連壁を施工する業者にとって、利用する可能性がある。
【符号の説明】
【００１８】
11    プレストレストコンクリート壁体
12    壁体本体部
13    長尺一側面
14    第１グラウト孔形成溝
15    角部
16    長尺他側面
17    第２グラウト孔形成溝
【図１】
0003172821.tif 000003
【図２】
0003172821.tif 000004
【図３】
0003172821.tif 000005
【図４】
0003172821.tif 000006